(57)【要約】【課題】追い焚き開始時に、熱交換器に滞留している高温水が直接浴槽に吐出しないようにした給湯システムを提供すること。【解決手段】貯湯タンク１内の熱交換器２に浴槽３内の湯を循環することにより、貯湯タンク１に貯留した温水との間で熱交換を行い、浴槽３内の湯を追い焚き加熱するようにした給湯システムにおいて、浴槽３内の湯を循環させる循環回路４に、熱交換器２の上流側で循環回路４から分岐するとともに、熱交換器２を通らずにその下流側で循環回路４に合流し、浴槽３内の湯を熱交換器２を通過した高温水と混合するバイパス回路５を設ける。【選択図】図１
2008121978.tif 000002
【特許請求の範囲】
【請求項１】
貯湯タンク内の熱交換器に浴槽内の湯を循環することにより、貯湯タンクに貯留した温水との間で熱交換を行い、浴槽内の湯を追い焚き加熱するようにした給湯システムにおいて、浴槽内の湯を循環させる循環回路に、熱交換器の上流側で循環回路から分岐するとともに、熱交換器を通らずにその下流側で循環回路に合流し、浴槽内の湯を熱交換器を通過した高温水と混合するバイパス回路を設けたことを特徴とする給湯システム。
【請求項２】
バイパス回路に、浴槽内の湯を所定流量に制限して循環させる流量調整手段を設けたことを特徴とする請求項１記載の給湯システム。
【発明の詳細な説明】
【技術分野】
【０００１】
本発明は、ふろ追い焚き機能を有する給湯システムに関し、特に、追い焚き開始時に、熱交換器に滞留している高温水が直接浴槽に吐出しないようにした給湯システムに関するものである。
【背景技術】
【０００２】
深夜電力を用いた貯湯式の給湯システムでは、例えば、浴槽へ給湯する場合、貯湯タンク内の高温水と貯湯タンクを介さない給水を混合して、所定の温度に調整した温水を供給するようにしている。
また、浴槽内の温度が低下した場合、貯湯タンク内の熱交換器に浴槽内の湯を循環することにより、貯湯タンクに貯留した高温水との間で熱交換を行い、浴槽内の湯を追い焚き加熱するようにしている（特許文献１〜２参照）。
【０００３】
しかしながら、上記従来の給湯システムでは、貯湯タンク内の熱交換器に高温水が滞留するため、ふろ追い焚き開始時に、この高温の滞留水が直接浴槽に吐出されることになり、いきなり熱いお湯が出て快適な追い焚き加熱ができないという問題があった。
【特許文献１】特開２００３−１４８８００号公報
【特許文献２】特開２００５−６９５５７号公報
【発明の開示】
【発明が解決しようとする課題】
【０００４】
本発明は、上記従来の給湯システムが有する問題点に鑑み、追い焚き開始時に、熱交換器に滞留している高温水が直接浴槽に吐出しないようにした給湯システムを提供することを目的とする。
【課題を解決するための手段】
【０００５】
上記目的を達成するため、本発明の給湯システムは、貯湯タンク内の熱交換器に浴槽内の湯を循環することにより、貯湯タンクに貯留した温水との間で熱交換を行い、浴槽内の湯を追い焚き加熱するようにした給湯システムにおいて、浴槽内の湯を循環させる循環回路に、熱交換器の上流側で循環回路から分岐するとともに、熱交換器を通らずにその下流側で循環回路に合流し、浴槽内の湯を熱交換器を通過した高温水と混合するバイパス回路を設けたことを特徴とする。
【０００６】
この場合において、バイパス回路に、浴槽内の湯を所定流量に制限して循環させる流量調整手段を設けることができる。
【発明の効果】
【０００７】
本発明の給湯システムによれば、貯湯タンク内の熱交換器に浴槽内の湯を循環することにより、貯湯タンクに貯留した温水との間で熱交換を行い、浴槽内の湯を追い焚き加熱するようにした給湯システムにおいて、浴槽内の湯を循環させる循環回路に、熱交換器の上流側で循環回路から分岐するとともに、熱交換器を通らずにその下流側で循環回路に合流し、浴槽内の湯を熱交換器を通過した高温水と混合するバイパス回路を設けることから、貯湯タンク内の熱交換器の高温滞留水は、追い焚き開始時にバイパス回路を通過した浴槽の湯と混合されることになり、これにより、熱交換器に滞留する高温滞留水が直接浴槽に吐出しないようにして、安全で快適なふろ追い焚き加熱を行うことができる。
【０００８】
この場合、バイパス回路に、浴槽内の湯を所定流量に制限して循環させる流量調整手段を設けることにより、熱交換器の高温滞留水を適量の浴槽の湯と混合し、適温にした状態で浴槽に供給することができる。
【発明を実施するための最良の形態】
【０００９】
以下、本発明の給湯システムの実施の形態を、図面に基づいて説明する。
【実施例１】
【００１０】
図１に、本発明の給湯システムの一実施例を示す。
この給湯システムは、貯湯タンク１内の熱交換器２に浴槽３内の湯を循環することにより、貯湯タンク１に貯留した温水との間で熱交換を行い、浴槽３内の湯を追い焚き加熱するようにしている。
そして、この給湯システムは、浴槽３内の湯を循環させる循環回路４に、熱交換器２の上流側で循環回路４から分岐するとともに、熱交換器２を通らずにその下流側で循環回路４に合流し、浴槽３内の湯を熱交換器２を通過した高温水と混合するバイパス回路５を設け、該バイパス回路５に、浴槽３内の湯を所定流量に制限して循環させる流量調整オリフィス（図示省略）を設けている。
【００１１】
なお、この給湯システムは、図では省略しているが、給水管６から供給される貯湯タンク１内の水を設定温度まで加温する加熱手段や、加熱された水を蛇口などに出湯する出湯管等を備えている。
【００１２】
貯湯タンク１内の熱交換器２は、タンク往き配管４１と浴槽往き配管４２の２本の配管を介して浴槽３に接続されており、これらのタンク往き配管４１と浴槽往き配管４２とで循環回路４を形成している。
また、この循環回路４には、追い焚き加熱時や温度計測時、水位計測時等に、循環回路４の流路を切り替える流路切替弁７が設けられている。
【００１３】
流路切替弁７は、追い焚き加熱時は、浴槽３内の湯を、浴槽３からタンク往き配管４１を介して熱交換器２を通り、浴槽往き配管４２を介して浴槽３に戻るように切替操作を行う。
また、温度計測時や水位計測時には、浴槽３内の湯を、浴槽３からタンク往き配管４１を介して戻り配管４３に行き、浴槽往き配管４２を介して浴槽３に戻るように、貯湯タンク１内の熱交換器２を通さないように切替操作を行う。
【００１４】
バイパス回路５は、この流路切替弁７の上流側でタンク往き配管４１から分岐するとともに、熱交換器２を通らずに該熱交換器２の下流側で浴槽往き配管４２に合流しており、これにより、浴槽３内の湯を、熱交換器２を通過した高温水と混合するように設けられている。
そして、このバイパス回路５には、追い焚き加熱時に、浴槽３内の湯を一定流量以下に制限して循環させる流量調整オリフィス（図示省略）が設けられている。
これにより、追い焚き加熱を開始するときでも、貯湯タンク１内の熱交換器２の高温滞留水は、バイパス回路５にて循環する浴槽３の所定流量の湯と適切に混合された状態で浴槽３に供給されることになり、その結果、高温滞留水が直接浴槽３内へ吐出されることなく、安全で快適なふろ追い焚き加熱が可能となる。
【００１５】
かくして、本実施例の給湯システムは、貯湯タンク１内の熱交換器２に浴槽３内の湯を循環することにより、貯湯タンク１に貯留した温水との間で熱交換を行い、浴槽３内の湯を追い焚き加熱するようにした給湯システムにおいて、浴槽３内の湯を循環させる循環回路４に、熱交換器２の上流側で循環回路４から分岐するとともに、熱交換器２を通らずにその下流側で循環回路４に合流し、浴槽３内の湯を熱交換器２を通過した高温水と混合するバイパス回路５を設けることから、貯湯タンク１内の熱交換器２の高温滞留水は、追い焚き開始時にバイパス回路５を通過した浴槽３の湯と混合されることになり、これにより、熱交換器２に滞留する高温滞留水が直接浴槽３に吐出しないようにして、安全で快適なふろ追い焚き加熱を行うことができる。
【００１６】
また、バイパス回路５に、浴槽３内の湯を所定流量に制限して循環させる流量調整手段を設けることにより、熱交換器２の高温滞留水を適量の浴槽３の湯と混合し、適温にした状態で浴槽３に供給することができる。
【００１７】
以上、本発明の給湯システムについて、その実施例に基づいて説明したが、本発明は上記実施例に記載した構成に限定されるものではなく、例えば、流量調整手段として、流量調整オリフィスの代わりに可動式の流量調整弁を用いるなど、その趣旨を逸脱しない範囲において適宜その構成を変更することができる。
【産業上の利用可能性】
【００１８】
本発明の給湯システムは、追い焚き開始時に、熱交換器に滞留している高温水が直接浴槽に吐出しないという特性を有していることから、安全で快適なふろ追い焚き加熱を可能とした給湯システムとして広く好適に用いることができる。
【図面の簡単な説明】
【００１９】
【図１】本発明の給湯システムの一実施例を示す回路図である。
【符号の説明】
【００２０】
１    貯湯タンク
２    熱交換器
３    浴槽
４    循環回路
４１  タンク往き配管
４２  浴槽往き配管
４３  戻り配管
５    バイパス回路
６    給水管
７    流路切替弁
【図１】
2008121978.tif 000003